(57)【要約】【課題】  雌端子ハウジングと雄端子ハウジングを分離して形成するとともに、雌端子と雄端子の接続時の最大挿入力を低減する。【解決手段】  雌端子３が収容された雌端子ハウジング５と、複数の雄端子７を保持してなる雄端子ハウジング８と、雌端子は接点部材を内包してなる筒部に形成された係止穴３ｄが端子収容室４の内壁のランス１１に係合され、雄端子７を雌端子３の接点部材３ａに摺接するコネクタにおいて、雄端子は雄端子ハウジングにインサート成形され、雄端子ハウジングと雌端子ハウジングは、嵌合時に第１の嵌合位置と第２の嵌合位置で互いに係合する第１係合部と第２係合部を有し、第１の嵌合位置は、雌端子の係止穴がランスに係合した位置であって、雄端子が雌端子の接点部材に摺接する位置よりも手前に設定され、第２の嵌合位置は、雄端子が雌端子の接点部材に摺接する位置に設定されてなるものとする。【選択図】  図２
2013247053.tif 000002
【特許請求の範囲】
【請求項１】
雌端子がそれぞれ収容される複数の端子収容室が形成された雌端子ハウジングと、前記雌端子に接続される複数の雄端子を保持してなる雄端子ハウジングと、前記雌端子は弾性変形可能な接点部材を内包してなる筒部の一側面に形成された係止穴が前記端子収容室の内壁に弾性部材により形成されたランスに係合され、前記雄端子ハウジングと前記雌端子ハウジングを嵌合させて前記雄端子を前記雌端子の前記接点部材に摺接させて接続する構成のコネクタにおいて、
前記雄端子は、前記雄端子ハウジングにインサート成形され、
前記雄端子ハウジングと前記雌端子ハウジングは、嵌合時に第１の嵌合位置と第２の嵌合位置で互いに係合する第１係合部と第２係合部を有して嵌合され、
第１の嵌合位置は、前記雌端子の係止穴が前記ランスに係合した位置であって、前記雄端子が前記雌端子の接点部材に摺接する位置よりも手前に設定され、
前記第２の嵌合位置は、前記雄端子が前記雌端子の接点部材に摺接する位置に設定されてなることを特徴とするコネクタ。
【請求項２】
請求項１に記載のコネクタにおいて、
前記雌端子用ハウジングと前記雄端子用ハウジングの一方に嵌合方向に延びるガタツキ防止穴が設けられ、他方に前記ガタツキ防止穴に嵌入されるガタツキ防止部材が突出して設けられ、前記ガタツキ防止穴と前記ガタツキ防止部材の断面形状がＬ字型に形成されていることを特徴とするコネクタ。
【請求項３】
請求項１又は２に記載のコネクタにおいて、
前記雌端子用ハウジングと前記雄端子用ハウジングの一方の先端部に嵌合相手に向けて伸延して設けられた少なくとも２つのガイドリブと、前記嵌合相手に前記２つのガイドリブが嵌入されるガイド溝とガイド筒の少なくとも一方が形成されていることを特徴とするコネクタ。
【発明の詳細な説明】
【技術分野】
【０００１】
本発明は、複数の雌端子と複数の雄端子とを接続するコネクタの嵌合構造に関する。
【背景技術】
【０００２】
複数の雌端子がそれぞれ収容される複数の端子収容室が形成された雌端子用のハウジングと、複数の雌端子に接続される複数の雄端子を保持してなる雄端子用のハウジングを一体的に形成したコネクタが知られている（例えば、特許文献１）。これによれば、複数の雄端子をハウジングに圧入して雌端子の端子収容室に突出させ、複数の雌端子をそれぞれの端子収容室に挿入して雌端子と雄端子を接続する。特に、特許文献１に記載のコネクタによれば、雌端子を弾性変形可能な接点部材を内包して筒状に形成し、その筒の一側面に形成された係止穴を端子収容室の内壁に弾性部材により形成されたランスに係合させて、雌端子を抜け止めしている。また、その嵌合位置において、雄端子を雌端子の接点部材に摺接させて電気的に接続するように構成されている。
【０００３】
一方、複数の雌端子をそれぞれ収容する複数の端子収容室が形成された雌端子ハウジングと、複数の雌端子に接続される複数の雄端子を保持してなる雄端子ハウジングを分離して形成したコネクタが知られている（例えば、特許文献２、特許文献３）。これらのコネクタによれば、雌端子ハウジングと雄端子ハウジングを嵌合させて、複数の雄端子をそれぞれ複数の雌端子の接点部材に摺接させて接続するように構成されている。
【０００４】
特に、特許文献２には、嵌合時における雌端子ハウジングと雄端子ハウジングのガタツキを規制するため、嵌合部の一方のハウジングの内側面の２箇所にガタツキ防止リブを挿入方向に伸延して形成し、これに対応して他方のハウジングの外側面の２箇所にガタツキ防止リブが入り込むガタ付き防止溝を形成することが提案されている。
【０００５】
また、特許文献３には、雌端子ハウジングと雄端子ハウジングとを嵌合状態で係止するロック構造が記載されている。これによれば、雌端子ハウジングの先端部に形成した雄フードの外面に係止爪を設け、雄フードに被冠する雌フードの内面に係止爪を係止させる係止凹部を形成し、雌端子ハウジングと雄端子ハウジングとを嵌合したときに、雌フードの係止凹部に雄フードの係止爪を係止させてロックすることが提案されている。
【先行技術文献】
【特許文献】
【０００６】
【特許文献１】特開２０１０−４０２６３号公報
【特許文献２】特開２０１２−５９５６５号公報
【特許文献３】特開２００７−２６７６９号公報
【発明の開示】
【発明が解決しようとする課題】
【０００７】
しかしながら、特許文献１に記載のコネクタは、雌端子の挿入力を軽減することについて配慮されていない。すなわち、配線に接続された雌端子を端子収容室の所定位置に挿入するためには、ランスを撓ませる弾性変形力に加えて、雌端子の接点部材を撓ませつつ雄端子を摺動させて所定の位置まで挿入する挿入力が必要になる。この挿入力が大きいために、雌端子挿入作業を行う作業者は半挿入状態にもかかわらず端子挿入作業を終わらせてしまい、雌端子の挿入不具合が発生するおそれがある。
【０００８】
また、特許文献１に記載のコネクタのように雄雌のハウジングを一体形成した場合は問題ないが、雌端子ハウジングと雄端子ハウジングを分離して形成した場合は、特許文献２に記載のように両者の嵌合時のガタツキを防止する必要がある。つまり、雄ハウジングと雌ハウジングの製作公差によっては嵌合部にガタツキが生じることがある。この点、特許文献２に記載のように、嵌合させるそれぞれのフードの外側面と内側面に、ガタツキ防止リブとそのガタツキ防止リブが入り込むガタ付き防止溝を形成することにより、ガタ付き防止溝の溝壁面に直交する方向のガタツキは抑えることができる。しかし、同文献では、溝壁面に平行な方向のガタツキを防止することについては考慮されていない。また、ガタツキ防止リブは、ガタ付き防止溝の溝壁面に直交する方向に変形しやすい形状である。
【０００９】
また、雌端子ハウジングと雄端子ハウジングを分離して形成した場合は、特許文献３に記載のように、雌端子ハウジングと雄端子ハウジングとを嵌合状態で係止するロック機構が必要になる。しかし、特許文献３に記載のロック機構によれば、雌フードを外面側から押圧して撓ませることにより、係止用凹部に係止された係止爪の係止及び解除しなければならず、雌フード全体を大きく変形させなければならないから、嵌合時の挿入力及び嵌合解除時の離脱力が大きいという問題がある。
【００１０】
本発明が解決しようとする第１の課題は、雌端子ハウジングと雄端子ハウジングを分離して形成するとともに、雌端子と雄端子の接続時の最大挿入力を低減することにある。
また、本発明が解決しようとする第２の課題は、第１の課題に加えて、雌端子ハウジングと雄端子ハウジングの嵌合状態におけるガタツキを効果的に低減することにある。
さらに、本発明が解決しようとする第３の課題は、第１の課題又は第２の課題に加えて、雌端子ハウジングと雄端子ハウジングの嵌合時の挿入力及び嵌合解除時の離脱力を軽減することにある。
【課題を解決するための手段】
【００１１】
第１の課題を解決する本発明の第１の態様は、雌端子がそれぞれ収容される複数の端子収容室が形成された雌端子ハウジングと、前記雌端子に接続される複数の雄端子を保持してなる雄端子ハウジングと、前記雌端子は弾性変形可能な接点部材を内包してなる筒部の一側面に形成された係止穴が前記端子収容室の内壁に弾性部材により形成されたランスに係合され、前記雄端子ハウジングと前記雌端子ハウジングを嵌合させて前記雄端子を前記雌端子の前記接点部材に摺接させて接続する構成のコネクタにおいて、前記雄端子は、前記雄端子ハウジングにインサート成形され、前記雄端子ハウジングと前記雌端子ハウジングは、嵌合時に第１の嵌合位置と第２の嵌合位置で互いに係合する第１係合部と第２係合部を有して嵌合され、第１の嵌合位置は、前記雌端子の係止穴が前記ランスに係合した位置であって、前記雄端子が前記雌端子の接点部材に摺接する位置よりも手前に設定され、前記第２の嵌合位置は、前記雄端子が前記雌端子の接点部材に摺接する位置に設定されてなることを特徴とする。
【００１２】
第１の態様のコネクタは、基本的に、雄端子ハウジングと雌端子ハウジングとを分離して形成し、それらを嵌合して雌端子を雄端子に接続するに際して、両者のハウジングを２段階で嵌合することを特徴とする。すなわち、第１の嵌合位置は、雌端子の係止穴がランスに係合した位置であって、雄端子が雌端子の接点部材に摺接する位置よりも手前に設定されているから、雄端子と雌端子が接続されていない仮嵌合の状態である。この仮嵌合の状態までは、雌端子がランスを撓ませる弾性変形力に対応する挿入力があれば足りるから、従来よりも挿入力を軽減できる。第１の嵌合位置に達したことは、第１係合部の係合音などにより作業者は容易に知覚できる。次いで、両者のハウジングを第２の嵌合位置まで嵌合させると、雌端子の接点部材を撓ませつつ雄端子が摺動して所定の位置まで挿入される。このときの挿入力は雌端子の弾性変形力と接点部材同士の摺動摩擦のみに軽減できる。その結果、最大挿入力を低減することができ、雌端子挿入作業を行う作業者は確実に端子挿入作業を終了することができるから、雌端子の挿入不具合の発生を回避できる。なお、雄端子ハウジングと雌端子ハウジングの嵌合は、第２の係合部が係合する音や係合状態を観察して、容易に確認することができる。
【００１３】
また、第２の課題を解決する本発明の第２の態様は、第１の態様のコネクタにおいて、前記雌端子用ハウジングと前記雄端子用ハウジングの一方に嵌合方向に延びるガタツキ防止穴が設けられ、他方に前記ガタツキ防止穴に嵌入されるガタツキ防止部材が突出して設けられ、前記ガタツキ防止穴と前記ガタツキ防止部材の断面形状がＬ字型に形成されていることを特徴とする。
【００１４】
本発明の第２の態様によれば、ガタツキ防止穴とガタツキ防止部材の断面形状をＬ字型に形成したことから、嵌合方向に対する直交２軸方向のガタツキを効果的に抑えることができる。また、ガタツキ防止部材の直交２軸方向の変形を抑制することができる。
【００１５】
さらに、第３の課題を解決する本発明の第３の態様は、第１又は第２の態様のコネクタにおいて、前記雌端子用ハウジングと前記雄端子用ハウジングの一方の先端部に嵌合相手に向けて伸延して設けられた少なくとも２つのガイドリブと、前記嵌合相手に前記２つのガイドリブが嵌入されるガイド溝とガイド筒の少なくとも一方が形成されていることを特徴とする。
【００１６】
本発明の第３の態様によれば、両ハウジングの一方の先端部に設けられた少なくとも２つのガイドリブが嵌入されるガイド溝又はガイド筒を、嵌合相手のハウジングに設けているから、両者のハウジングの嵌合時の姿勢が矯正され、円滑な嵌合を行わせることができる。そのため、第１の嵌合位置と第２の嵌合位置で互いに係合する第１係合部と第２係合部を、小さな弾性変形力で係合及び解除する構造を採用できるから、雌端子ハウジングと雄端子ハウジングの嵌合時の挿入力及び嵌合解除時の離脱力を軽減することができる。また、ガイドリブがガイド溝又はガイド筒に嵌入される構造にしているから、第２の態様に加えて、あるいは第２の態様に代えて、一層、両ハウジングの嵌合時のガタツキを防止することができる。
【発明の効果】
【００１７】
本発明の第１の態様によれば、雌端子ハウジングと雄端子ハウジングを分離して形成するとともに、雌端子と雄端子の接続時の最大挿入力を低減することができる。
また、本発明の第２の態様によれば、雌端子ハウジングと雄端子ハウジングの嵌合状態におけるガタツキを効果的に低減することができる。
さらに、本発明の第３の態様によれば、雌端子ハウジングと雄端子ハウジングの嵌合時の挿入力及び嵌合解除時の離脱力を軽減することができる。
【図面の簡単な説明】
【００１８】
【図１】本発明のコネクタの一実施例のジョイントコネクタの斜視構成図を示し、同図（ａ）は分解図、同図（ｂ）は第１の嵌合状態における図、同図（ｃ）は第２の嵌合状態における図である。
【図２】本実施例の断面図を示し、同図（ａ）は第１の嵌合状態において雌端子が挿入されていない状態の側面図、同図（ｂ）は第１の嵌合状態において雌端子を挿入した状態の側面図、同図（ｃ）は第２の嵌合状態において雌端子が挿入された状態の側面図である。
【図３】本実施例の側面図を示し、同図（ａ）は第１の嵌合状態における側面図、同図（ｂ）は第２の嵌合状態における側面図である。
【図４】本実施例の雌端子ハウジングと雄端子ハウジングの詳細構成を示す図であり、同図（ａ）は雌端子ハウジングを雄端子ハウジング側から見た拡大斜視図、同図（ｂ）は雌端子ハウジングを雄端子ハウジング側から見た正面図である。
【図５】同図（ａ）は雄端子ハウジングを雌端子ハウジング側から見た斜視図、同図（ｂ）は雄端子ハウジングを雌端子ハウジング側から見た正面図である。
【図６】図２の線Ａ−Ａにおける断面図である。
【発明を実施するための形態】
【００１９】
以下、本発明のコネクタを防水アースジョイントコネクタに適用した図１〜６に示した一実施例に基づいて説明する。それらの図に示すように、防水アースジョイントコネクタ１は、複数の電線の端末を接地導体に共通に接続する場合に用いられるコネクタである。しかし、本発明のコネクタは、防水アースジョイントコネクタ１に限定されるものではなく、通常の雌端子コネクタと雄端子コネクタを嵌合するコネクタ、あるいは単なるジョイントコネクタに適用できることは言うまでもない。
【００２０】
本実施例の防水アースジョイントコネクタ１は、電線２の端末に圧着された雌端子３がそれぞれ収容される複数の端子収容室４が形成された雌端子ハウジング５と、バスバー６に接続された複数の雄端子７（図２参照）をインサート成形して保持した雄端子ハウジング８を備えて形成されている。雌端子ハウジング５と雄端子ハウジング８は、いずれも樹脂により成形されている。雌端子３は、図１（ａ）、図２（ｂ）等に示すように、弾性変形可能な接点部材３ａを内包して筒状に形成された接点部３ｂと、電線２が圧着された圧着端子部３ｃと、電線２の端部外周に装着されたリングパッキン２ａを備えて形成されている。雌端子ハウジング５の端子収容室４は、雌端子３の接点部３ｂが収容される雄端子ハウジング８側に位置する矩形筒状の収容室４ａと、圧着端子部３ｃと電線２のリングパッキン２ａが収容される円筒状の収容室４ｂとを備えて形成されている。矩形筒状の収容室４ａの図において下側の内壁にランス１１が形成されている。
【００２１】
ランス１１は、図２（ａ）に示すように、ハウジングと同一の樹脂で端子収容室４の電線２が収容される円筒部から、雌端子３が収容される矩形筒部に伸延させて片持ち状に一体成形されている。また、ランス１１は、先端側が端子収容室４内に突き出して形成され、雌端子３の接点部３ｂが挿入されると、図２（ｂ）に示すように樹脂の弾性変形で端子収容室４から退出し、接点部３ｂの下面に形成された係止穴３ｄの位置で進出して雌端子３の接点部３ｂに係合するようになっている。これにより、雌端子３の抜け止めがなされる。また、雌端子ハウジング５は、端子収容室４の矩形筒部の外周面から張り出して筒状の雌フード１２が設けられている。
【００２２】
一方、雄端子ハウジング８には、雌端子３に挿入接続される複数の雄端子７がインサート成形されて保持されている。それぞれの雄端子７は、本実施例では板状の導体をＵ字型に曲げ、２つの先端を雌端子ハウジング５の２つの雌端子３にそれぞれ挿入し、接点部材３ａに摺動接続可能に形成されている。また、図には表れていないが、複数の雄端子７は、バスバー６に接続され、バスバー６を介して接地導体に接続固定されるようになっている。雄端子ハウジング８の基部８ａには、雌端子ハウジング５の雌フード１２が被冠される本体部９が形成され、本体部９と雌フード１２との間にリング状の防水パッキン１０が装着されるようになっている。
【００２３】
ここで、本実施例の第１の特徴部について説明する。本実施例は、雌端子ハウジング５と雄端子ハウジング８を嵌合させて雄端子７を雌端子３の接点部材３ａに摺接させて接続するように構成されている。そして、雌端子ハウジング５と雄端子ハウジング８とが第１の嵌合位置と第２の嵌合位置で互いに係合する第１係合部と第２係合部を有し、２段階で嵌合することを特徴とする。第１の嵌合位置は、図１（ｂ）又は図２（ｂ）に示すように、雌端子３の係止穴３ｄがランス１１に係合した位置で、かつ雄端子７が雌端子３の接点部材３ａに摺接する位置よりも手前に設定されている。また、第２の嵌合位置は、図１（ｃ）又は図２（ｃ）に示すように、雄端子７が雌端子３の接点部材３ａに摺接する位置に設定されている。
【００２４】
ここで、第１の嵌合位置と第２の嵌合位置で係合する第１係合部と第２係合部の構成を説明する。第１の係合部は、雄端子ハウジング８の基部８ａの図において上下面から雌端子ハウジング５の外周面に向けて伸延された板状の仮係止アーム１３と、嵌合方向に伸延して仮係止アーム１３に形成された係止溝１３ａを備えている。また、係止溝１３ａに対応させて雌端子ハウジング５の雌フード１２の上下面に係止突起１４が突出して設けられている。そして、雌端子ハウジング５と雄端子ハウジング８の嵌合を開始したとき、仮係止アーム１３が係止突起１４に突き当たって乗り上がり易いように、仮係止アーム１３の先端の下面が傾斜して形成されている。さらに、雌端子ハウジング５と雄端子ハウジング８の嵌合を進めると、係止突起１４が仮係止アーム１３の係止溝１３ａ内に落ち込んで第１の嵌合位置になる（図２（ａ））。そして、雌端子３を端子収容室４に挿入し、雌端子３の係合穴３ｄをランス１１に係止させて抜け止めする。この状態になると、雌端子ハウジング５と雄端子ハウジング８の嵌合を解除するには、仮係止アーム１３を反らせての係止溝１３ａと係止突起１４との係止を解除することになるが、板状の仮係止アーム１３を反らすだけの解除力で済む。
【００２５】
一方、第２の係合部は、図１及び図３に示すように、雄端子ハウジング８の基部８ａの図において前後の側面から雌端子ハウジング５の雌フード１２の外周面に向けて伸延された板状の本係止アーム１５と、嵌合方向に伸延して本係止アーム１５に形成された係止溝１５ａを備えている。また、係止溝１５ａに対応させて雌フード１２の前後の側面に係止突起１６が突出して設けられている。また、雌端子ハウジング５と雄端子ハウジング８の嵌合時に本係止アーム１５が係止突起１６に突き当たって乗り上がり易いように、係止突起１６に突き当たる本係止アーム１５の先端の下面を傾斜させて形成している。なお、図１（ｂ）に示すように、第１の嵌合位置においては、本係止アーム１５の先端が係止突起１６に丁度突き当たる位置に係止突起１６が形成されている。この位置から、さらに雌端子ハウジング５と雄端子ハウジング８を図１（ｂ）の矢印３０の方向に嵌合させると、本係止アーム１５の先端は係止突起１６を乗り越えて、係止突起１６が係止溝１５ａ内に係止するようになっている。これにより、雌端子ハウジング５と雄端子ハウジング８を図１（ｂ）の矢印３１の方向に嵌合を解除しようとしても、本係止アーム１５を外側に反らさない限り嵌合状態が保持される。
【００２６】
このように構成される本実施例の第１の特徴部によれば、基本的に、雌端子ハウジング５と雄端子ハウジング８とを分離して形成し、両者のハウジングを２段階で嵌合する構成としている。つまり、第１の嵌合位置は、雌端子３の係止穴３ｄがランス１１に係合した位置であって、雄端子７が雌端子３の接点部材３ａに摺接する位置よりも手前である。この第１段階目の第１の嵌合位置は仮嵌合の状態であるから、雌端子３がランス１１を撓ませる挿入力があれば足りる。また、このとき本係止アーム１５が係止突起１６に突き当たり、仮係止アーム１３の係止溝１３ａと係止突起１４とが係止しているから、図１（ｂ）に示す矢印３０，３１のいずれの方向に力が加わっても、仮嵌合の状態が保持される。
【００２７】
さらに、本嵌合の状態にするために、図１（ｂ）の矢印３０の方向に力を加えると、本係止アーム１５の先端が係止突起１６を乗り越えて移動される。このようにして、両ハウジングを第２の嵌合位置まで嵌合させると、雌端子３の接点部材３ａを撓ませつつ，雄端子７が摺動して所定の位置まで挿入されて嵌合が完了する。この第２段階目の第２の嵌合位置は本嵌合の状態である。この第２段階目の挿入力は、雌端子３の接点部材３ａの撓み力と、雄端子７と接点部材３ａとの摺動摩擦のみであり、ランス１１を撓ませる挿入力は加わらない。その結果、最大挿入力を低減することができるから、雌端子挿入作業を行う作業者は確実に端子挿入作業を終了することができ、雌端子３の挿入不具合の発生を回避できる。なお、雌端子ハウジング５と雄端子ハウジング８の嵌合は、第２の係合部が係合する音や係合状態を観察して、容易に確認することができる。
【００２８】
次に、本実施例の第２の特徴部について、図４及び図５を参照して説明する。本実施例では、雌端子ハウジング５と雄端子ハウジング８を分離して形成しているから、両者の嵌合時のガタツキを防止する必要がある。そこで、本実施例では、雌端子用ハウジング５に嵌合方向に伸延させて断面がＬ字型のガタツキ防止穴２５を設け、これに対応させて雄端子ハウジング８にガタツキ防止穴２５に嵌入される逆Ｌ字型のガタツキ防止部材２６を突出させて設けている。
【００２９】
第２の特徴部によれば、ガタツキ防止穴２５とガタツキ防止部材２６の断面形状をＬ字型に形成したことから、嵌合方向に対する直交２軸方向（図示、Ｘ、Ｙ方向）のガタツキを効果的に抑えることができる。また、ガタツキ防止部材２６は、Ｘ、Ｙ方向に一定の長さを有し、それらの方向の断面係数が大きいから、直交２軸方向の変形を抑制することができる。また、耐震性が向上する。さらに、両ハウジングの嵌合時の姿勢を適正に保つガイド機能を持たせることができる。
【００３０】
なお、第２の特徴部に関し、本実施例では、雌端子用ハウジング５にガタツキ防止穴２５を設け、雄端子ハウジング８にガタツキ防止部材２６を突出させて設けたが、本願発明はこれに限られるものではなく、逆に、雄端子ハウジング８にガタツキ防止穴２５を設け、雌端子用ハウジング５にガタツキ防止部材２６を突出させて設けてもよい。
【００３１】
さらに、本実施例の第３の特徴部について、図１、図３（ｂ）及び図６を参照して説明する。雌端子ハウジング５と雄端子ハウジング８を分離して形成した場合は、両ハウジングの嵌合状態を保持するためのロック機構が必要になる。一般に、強固なロック機構の場合は、強固さの程度に応じて嵌合時の挿入力及び嵌合解除時の離脱力が大きくなる。そこで、本実施例では、嵌合時の挿入力及び嵌合解除時の離脱力を小さくでき、かつ嵌合状態を強固に保持又は維持することを狙いとしている。
【００３２】
すなわち、本実施例では、雄端子用ハウジング８の先端部の図において上部に、嵌合相手である雌端子ハウジング５の筒状の雌フード１２の上面に向けて、２つのガイドリブ１７、１８が伸延して設けられている。ガイドリブ１７、１８は、伸延方向に直交する断面が、互いに逆向きのＬ字型に形成されている。これに対応して、雌フード１２の上面には、ガイドリブ１７、１８の雌フード１２の上面に平行な部位が挿入されるガイド溝１９、２０を形成する鉤型のリブ２２，２３が形成されている。また、ガイドリブ１７、１８の雌フード１２の上面に鉛直な部位は、雌フード１２の上面に起立して形成されたリブ２４ａ、２４ｂにガイドされるように形成されている。なお、リブ２４ａ、２４ｂは、第１係合部を形成する仮係止アーム１３のガイドとして機能するようになっている。
【００３３】
このように形成されることから、第３の特徴部によれば、雌端子ハウジング５の先端部に設けられた２つのガイドリブ１７，１８を雄端子ハウジング８の雌フード１２の上面に設けられたガイド溝１９、２０に挿入しながら、両ハウジングを嵌合することにより、両ハウジングの嵌合時の姿勢が矯正され、円滑な嵌合を行わせることができる。そのため、第１の嵌合位置と第２の嵌合位置で互いに係合する第１係合部と第２係合部を、小さな弾性変形力で係合及び解除する構造を採用できる。その結果、雌端子ハウジング５と雄端子ハウジング８の嵌合時の挿入力及び嵌合解除時の離脱力を軽減することができる。
【００３４】
なお、本実施例のガイド溝１９、２０に代えて、ガイドリブ１７，１８の外周を包囲するように形成したガイド筒を用いることができる。また、ガイドリブ１７，１８の断面を鉤型にすることに代えて、リブの厚みを厚くして板状にすることもできる。
【符号の説明】
【００３５】
１  防水アースジョイントコネクタ
２  電線
３  雌端子
４  端子収容室
５  雌端子ハウジング
６  バスバー
７  雄端子
８  雄端子ハウジング
９  本体部
１０  防水パッキン
１１  ランス
１２  雌フード
１３  仮係止アーム
１３ａ  係止溝
１４  係止突起
１５  本係止アーム
１５ａ  係止溝
１６  係止突起
【図１】
2013247053.tif 000003
【図２】
2013247053.tif 000004
【図３】
2013247053.tif 000005
【図４】
2013247053.tif 000006
【図５】
2013247053.tif 000007
【図６】
2013247053.tif 000008